(57)【要約】【課題】  装置全体の大型化を回避しつつ、被写体像の観察範囲を切り換える際のバリエーションを増やすことができる光学ファインダ装置および電子カメラを提供すること。【解決手段】  焦点板１８と接眼レンズ２３とを備えた光学ファインダ装置において、焦点板と接眼レンズとの間に配置され、焦点板に結像した被写体像の二次像１０Ｂを形成する結像レンズ１９と、結像レンズと接眼レンズとの間に配置され、二次像の形成面に配置された可変開口を有し、該可変開口により二次像を規制する視野枠２１とを備える。【選択図】      図１
2007233295.tif 000002
【特許請求の範囲】
【請求項１】
焦点板と接眼レンズとを備えた光学ファインダ装置において、
前記焦点板と前記接眼レンズとの間に配置され、前記焦点板に結像した被写体像の二次像を形成する結像レンズと、
前記結像レンズと前記接眼レンズとの間に配置され、前記二次像の形成面に配置された可変開口を有し、該可変開口により前記二次像を規制する視野枠とを備えた
ことを特徴とする光学ファインダ装置。
【請求項２】
請求項１に記載の光学ファインダ装置において、
前記結像レンズは、縮小倍率を有する
ことを特徴とする光学ファインダ装置。
【請求項３】
請求項１または請求項２に記載の光学ファインダ装置において、
前記結像レンズは、変倍可能である
ことを特徴とする光学ファインダ装置。
【請求項４】
請求項１から請求項３の何れか１項に記載の光学ファインダ装置において、
前記視野枠の可変開口は、互いに直交する２方向のサイズを独立に変更可能である
ことを特徴とする光学ファインダ装置。
【請求項５】
請求項４に記載の光学ファインダ装置において、
前記２方向は、前記焦点板上における前記被写体像の縦横方向に対応する
ことを特徴とする光学ファインダ装置。
【請求項６】
請求項５に記載の光学ファインダ装置において、
前記視野枠の可変開口は、前記被写体像が前記焦点板上で実質的に最大となる場合のアスペクト比と同じアスペクト比の標準状態を有し、該標準状態と同じ対角線長を有する他のアスペクト比の状態に変更可能である
ことを特徴とする光学ファインダ装置。
【請求項７】
請求項１から請求項６の何れか１項に記載の光学ファインダ装置において、
前記視野枠は、前記二次像の全体を遮蔽可能である
ことを特徴とする光学ファインダ装置。
【請求項８】
請求項７に記載の光学ファインダ装置において、
前記接眼レンズは、着脱可能であり、
前記視野枠は、前記接眼レンズの直前に配置され、前記接眼レンズが取り外されたときに、前記二次像の全体を遮蔽する
ことを特徴とする光学ファインダ装置。
【請求項９】
請求項７に記載の光学ファインダ装置において、
所定の情報を表示する表示手段と、
前記視野枠と前記接眼レンズとの間に配置され、前記視野枠によって規制された二次像に前記情報を重ねる合成手段とを備えた
ことを特徴とする光学ファインダ装置。
【請求項１０】
請求項９に記載の光学ファインダ装置において、
前記視野枠は、前記表示手段によって表示する情報に応じて、前記二次像の全体を遮蔽する
ことを特徴とする光学ファインダ装置。
【請求項１１】
請求項１から請求項１０の何れか１項に記載の光学ファインダ装置と、
前記被写体の像を撮像する撮像素子とを備えた
ことを特徴とする電子カメラ。
【請求項１２】
請求項１１に記載の電子カメラにおいて、
前記撮像素子の撮像エリアのうち前記二次像の観察範囲に対応する部分のデータを抽出する抽出手段を備えた
ことを特徴とする電子カメラ。
【請求項１３】
請求項１１または請求項１２に記載の電子カメラにおいて、
前記被写体をセルフタイマー撮影する際に、前記視野枠を制御して前記二次像の全体を遮蔽させる制御手段を備えた
ことを特徴とする電子カメラ。
【発明の詳細な説明】
【技術分野】
【０００１】
本発明は、焦点板に投影された被写体像の観察に用いられる光学ファインダ装置および電子カメラに関する。
【背景技術】
【０００２】
焦点板の近傍に視野枠を配置して、この視野枠を構成する複数のマスクの移動に応じて被写体像の観察範囲を切り換えるようにした光学ファインダ装置が知られている（例えば特許文献１を参照）。
【特許文献１】特開平９−２８１５５７号公報
【発明の開示】
【発明が解決しようとする課題】
【０００３】
しかし、従来の光学ファインダ装置では、視野枠を焦点板の近傍に配置するため、次のような問題があった。つまり、視野枠のマスクと周囲の機構（シャッターなど）との干渉を回避しつつ、装置全体の大型化も回避しようとすると、視野枠のマスクの移動スペースを十分に確保することができず、被写体像の観察範囲を切り換える際のバリエーションが少ない、という問題があった。
【０００４】
本発明の目的は、装置全体の大型化を回避しつつ、被写体像の観察範囲を切り換える際のバリエーションを増やすことができる光学ファインダ装置および電子カメラを提供することにある。
【課題を解決するための手段】
【０００５】
本発明の光学ファインダ装置は、焦点板と接眼レンズとを備えた光学ファインダ装置において、前記焦点板と前記接眼レンズとの間に配置され、前記焦点板に結像した被写体像の二次像を形成する結像レンズと、前記結像レンズと前記接眼レンズとの間に配置され、前記二次像の形成面に配置された可変開口を有し、該可変開口により前記二次像を規制する視野枠とを備えたものである。
【０００６】
また、前記結像レンズは、縮小倍率を有することが好ましい。
また、前記結像レンズは、変倍可能であることが好ましい。
また、前記視野枠の可変開口は、互いに直交する２方向のサイズを独立に変更可能であることが好ましい。
また、前記２方向は、前記焦点板上における前記被写体像の縦横方向に対応することが好ましい。
【０００７】
また、前記視野枠の可変開口は、前記被写体像が前記焦点板上で実質的に最大となる場合のアスペクト比と同じアスペクト比の標準状態を有し、該標準状態と同じ対角線長を有する他のアスペクト比の状態に変更可能であることが好ましい。
また、前記視野枠は、前記二次像の全体を遮蔽可能であることが好ましい。
また、前記接眼レンズは、着脱可能であり、前記視野枠は、前記接眼レンズの直前に配置され、前記接眼レンズが取り外されたときに、前記二次像の全体を遮蔽することが好ましい。
【０００８】
また、所定の情報を表示する表示手段と、前記視野枠と前記接眼レンズとの間に配置され、前記視野枠によって規制された二次像に前記情報を重ねる合成手段とを備えることが好ましい。
また、前記視野枠は、前記表示手段によって表示する情報に応じて、前記二次像の全体を遮蔽することが好ましい。
【０００９】
本発明の電子カメラは、上記の光学ファインダ装置と、前記被写体の像を撮像する撮像素子とを備えたものである。
また、上記の電子カメラにおいて、前記撮像素子の撮像エリアのうち前記二次像の観察範囲に対応する部分のデータを抽出する抽出手段を備えることが好ましい。
また、上記の電子カメラにおいて、前記被写体をセルフタイマー撮影する際に、前記視野枠を制御して前記二次像の全体を遮蔽させる制御手段を備えることが好ましい。
【発明の効果】
【００１０】
本発明によれば、光学ファインダ装置全体の大型化を回避しつつ、被写体像の観察範囲を切り換える際のバリエーションを増やすことができる。
【発明を実施するための最良の形態】
【００１１】
以下、図面を用いて本発明の実施形態を詳細に説明する。
ここでは、本実施形態の光学ファインダ装置について、図１の一眼レフレックスタイプの電子カメラ１０を例に説明する。電子カメラ１０には、撮影レンズ１１、メインミラー１２、シャッター１３、撮像素子１４、画像処理回路１５、カメラ制御回路１６、操作部１７、および、本実施形態の光学ファインダ装置(１８〜２８)が設けられる。電子カメラ１０の全体的な制御は、カメラ制御回路１６が行う。
【００１２】
被写体からの光は、撮影レンズ１１を通過した後、カメラ本体１０Ａの内部に導かれる。カメラ本体１０Ａの内部では、撮影の際に、メインミラー１２が点線の状態に跳ね上げられ、所定の露光タイミングでシャッター１３が開放される。このため、カメラ本体１０Ａの内部に導かれた光は、そのまま直進して撮像素子１４の撮像面に入射する。この撮像面には、撮影レンズ１１によって被写体の光学像が形成される。
【００１３】
撮像素子１４は、ＸＹアドレス型の撮像素子（例えばＣＭＯＳ撮像素子など）であり、撮像面に形成された被写体の光学像を撮像する。撮像素子１４の出力は画像処理回路１５にて処理され、撮影画像として不図示の画像メモリや表示装置などに出力される。
通常の撮影動作では、撮像素子１４の撮像エリア４Ａ（図２）の全域から各画素の信号が読み出され、撮影画像が生成される。ただし、撮像素子１４の各画素の信号はランダムアクセスで読み出し可能なため、撮像エリア４Ａの任意の一部分（例えば図２に示す部分エリア３１〜３３など）から各画素の信号を選択的に読み出し、サイズやアスペクト比の異なる撮影画像を生成することも可能である。
【００１４】
撮影動作の際には、撮影者による外部操作の情報が操作部１７からカメラ制御回路１６に入力される。そして、カメラ制御回路１６では、操作部１７からの情報を参照して撮影動作を行い、撮影画像のサイズやアスペクト比を変更する際には、撮像素子１４の信号の読み出しエリア（例えば図２の部分エリア３１〜３３の何れか）を指定する。指定の方法は、読み出しエリア内の各画素のアドレスを指定することにより行われる。
【００１５】
さらに、このような撮影動作に先立って、電子カメラ１０では、次のようにして被写体像のピント調節や測光などが行われる。撮影の前には、メインミラー１２が実線の状態に保持される。このため、カメラ本体１０Ａの内部に導かれた光は、メインミラー１２で反射した後、本実施形態の光学ファインダ装置(１８〜２８)に入射する。
光学ファインダ装置(１８〜２８)は、リレー系の構成であり、焦点板１８、結像レンズ１９、正立ミラー２０、視野枠２１、光路合成素子２２、接眼レンズ２３、表示素子２４、投影レンズ２５、モータ２６,２７、および、表示回路２８により構成される。
【００１６】
光学ファインダ装置(１８〜２８)の各構成要素のうち光学系の部分を、図３の斜視図に示す。図３には、撮影レンズ１１とメインミラー１２も併せて示した。また、図３では、正立ミラー２０が３枚のミラー２０(１)〜２０(３)からなり、２番目のミラー２０(２)と３番目のミラー２０(３)の間に結像レンズ１９が配置される場合を示した。
メインミラー１２からの光は、光学ファインダ装置(１８〜２８)の焦点板１８に入射し、この焦点板１８を透過した後、結像レンズ１９と正立ミラー２０とを介して視野枠２１に入射する。視野枠２１には可変開口２Ａ（図３）が設けられ、この可変開口２Ａを通過した光のみが光路合成素子２２と接眼レンズ２３とを介して電子カメラ１０の外部（撮影者の瞳）に導かれる。
【００１７】
上記の光路において、焦点板１８の位置は撮像素子１４と略共役であり、焦点板１８には撮影レンズ１１によって被写体像が投影される。本実施形態の光学ファインダ装置(１８〜２８)は、焦点板１８に投影された被写体像の観察に用いられ、この被写体像に基づいてピント調節や測光などの処理が行われる。
結像レンズ１９は、焦点板１８からの透過光を集光し、焦点板１８に結像した被写体像の二次像１０Ｂを視野枠２１の可変開口２Ａ（図３）の配置面に形成する。さらに、結像レンズ１９は、縮小倍率を有し、焦点板１８に結像した被写体像を縮小して二次像１０Ｂを形成する。
【００１８】
また、結像レンズ１９は、変倍可能であり、図４(ａ),(ｂ)に示すレンズ９Ａ,９Ｂの光軸方向の移動に応じて変倍動作を行い、二次像１０Ｂのサイズを変化させる。このような変倍動作は、カメラ制御回路１６からの指示に基づき、モータ２６が結像レンズ１９を駆動して行われる。
本実施形態では、図４(ａ)を標準状態とし、このときの二次像１０Ｂの対角線長をＳ１とする。また、標準状態より二次像１０Ｂを拡大した状態（図４(ｂ)）において、二次像１０Ｂの対角線長をＳ２とする。二次像１０Ｂの対角線長Ｓ１,Ｓ２は、焦点板１８に結像した被写体像の対角線長Ｓ０より小さい。
【００１９】
次に、視野枠２１の説明を行う。視野枠２１の可変開口２Ａ（図３）は、二次像１０Ｂの形成面に配置され、例えば図５に示す機構によって、互いに直交する２方向（図３,図５に示す２つの矢印ｘ1,ｙ1の方向）のサイズを独立に変更可能となっている。この２方向は、焦点板１８上における被写体像の縦横方向（図３,図４に示す２つの矢印ｘ2,ｙ2の方向）に対応し、二次像１０Ｂの縦横方向（図４に示す２つの矢印ｘ3,ｙ3の方向）に対応する。
【００２０】
図５に示す通り、視野枠２１には、可変開口２Ａの縦方向（ｘ1方向）のサイズを変更するために、２枚のマスク４１,４２と、これらを連結するギア４３と、アクチュエータ４４とが設けられる。アクチュエータ４４は、一方のマスク４２に取り付けられ、このマスク４２をｘ1方向に移動させる。そして、マスク４２が移動すると、ギア４３を介して他方のマスク４１も移動する。マスク４１,４２の移動方向は互いに逆方向であり、マスク４１,４２の移動に応じて可変開口２Ａの縦方向（ｘ1方向）のサイズを変更することができる。
【００２１】
また、視野枠２１には、可変開口２Ａの横方向（ｘ2方向）のサイズを変更するために、２枚のマスク４５,４６と、これらを連結するギア４７と、アクチュエータ４８とが設けられる。アクチュエータ４８は、一方のマスク４６に取り付けられ、マスク４６をｘ2方向に移動させる。そして、マスク４６が移動すると、ギア４７を介して他方のマスク４６も移動する。マスク４５,４６の移動方向は互いに逆方向であり、マスク４５,４６の移動に応じて可変開口２Ａの横方向（ｘ2方向）のサイズを変更することができる。
【００２２】
上記構成の視野枠２１では、アクチュエータ４４,４８がカメラ制御回路１６に接続され、カメラ制御回路１６からの指示に基づいて、アクチュエータ４４,４８が視野枠２１の可変開口２Ａのサイズを互いに直交する２方向（ｘ1方向,ｙ1方向）において独立に変更する。なお、アクチュエータ４４,４８は、図１のモータ２７に対応する。
このように、視野枠２１の可変開口２Ａは、互いに直交する２方向（ｘ1方向,ｙ1方向）のサイズを独立に変更できるため、全体的なサイズ（対角線長）の変更だけでなく、そのアスペクト比の変更も自由に行うことができる。
【００２３】
視野枠２１の可変開口２Ａのサイズやアスペクト比を変更する際（つまり撮影の前）、カメラ制御回路１６には、操作部１７からの情報（撮影者による外部操作の情報）が入力される。そして、カメラ制御回路１６は、操作部１７からの情報を参照して、視野枠２１の可変開口２Ａのサイズやアスペクト比を変更する。
図５には、操作部１７の一例として、撮影画像のサイズやアスペクト比の変更に用いられる選択ダイヤル５１を示した。選択ダイヤル５１は、エンコーダ５２と検出接点５３とを介して、カメラ制御回路１６に接続されている。カメラ制御回路１６は、検出接点５３からの信号に基づいて、撮影画像のサイズやアスペクト比の設定に関する情報を得ることができる。そして、この情報に基づいて、視野枠２１の可変開口２Ａのサイズやアスペクト比を変更する。
【００２４】
なお、図５では、視野枠２１の構成説明を分かりやすくするために、縦方向用のマスク４１,４２と横方向用のマスク４５,４６とを光軸方向に離して図示したが、実際には互いに接近した状態で配置される。その配置面は、可変開口２Ａの配置面に対応し、二次像１０Ｂの形成面と略同一である。４枚のマスク４１,４２,４５,４６は遮光部材である。
本実施形態では、視野枠２１の可変開口２Ａの配置面に形成される二次像１０Ｂのうち、マスク４１,４２,４５,４６と重なった部分を遮蔽し、可変開口２Ａと重なった部分のみを通過させることができる。つまり、可変開口２Ａによって二次像１０Ｂを規制し、被写体像の観察範囲を切り換えることができる（トリミング）。そして、規制された後の二次像１０Ｂが接眼レンズ２３によって撮影者の瞳に投影される。
【００２５】
また、視野枠２１と接眼レンズ２３との間には光路合成素子２２が配置され、そこから分岐した光路上には投影レンズ２５と表示素子２４とが配置され、表示素子２４には表示回路２８が接続される。表示回路２８は、カメラ制御回路１６と連動して所定の情報（各種の制御情報など）を表示素子２４に表示する。
このような情報に応じて表示素子２４から射出される光は、投影レンズ２５と光路合成素子２２とを介して接眼レンズ２３の光路上に導かれ、電子カメラ１０の外部（撮影者の瞳）に導かれる。このとき、表示素子２４に表示された情報を、視野枠２１によって規制された二次像１０Ｂに重ねて観察することができる。
【００２６】
次に、本実施形態の光学ファインダ装置(１８〜２８)における結像レンズ１９の変倍と視野枠２１の変更との関係を説明する。
本実施形態では、結像レンズ１９の標準状態を、二次像１０Ｂの対角線長がＳ１になる状態（図４(ａ)）とした。
また、視野枠２１の可変開口２Ａの標準状態を次のように設定する。つまり、結像レンズ１９が標準状態（図４(ａ)）のときに形成される二次像１０Ｂと同じサイズ（対角線長Ｓ１）およびアスペクト比の状態を、可変開口２Ａの標準状態とする。標準状態の可変開口２Ａを図６(ａ)に示す。なお、標準状態とは、焦点板１８上で被写体像が実質的に最大となる場合のアスペクト比と同じアスペクト比の状態である。
【００２７】
図６(ａ)のように、結像レンズ１９および視野枠２１の可変開口２Ａが共に標準状態の場合には、二次像１０Ｂと可変開口２Ａのサイズおよびアスペクト比が略同じであるため、ファインダ視野内の状態は、図７(ａ)のようになる。つまり、標準状態の視野枠２１に対応する視野枠像２１Ａの内側で、焦点板１８上の被写体像の全画面６０を観察することができ、これに重ねてスーパーインポーズ表示６１などを観察することができる。さらに、視野枠像２１Ａの外側では、左情報表示６２,右情報表示６３,下情報表示６４などを観察することができる。
【００２８】
一方、焦点板１８上の被写体像の中央部分（横位置拡大画面６５）を観察する場合には、結像レンズ１９および視野枠２１の可変開口２Ａが図６(ｂ)の状態に設定され、ファインダ視野内の状態は図７(ｂ)のようになる。この場合、結像レンズ１９は標準状態より二次像１０Ｂを拡大する状態（図４(ｂ)）、視野枠２１の可変開口２Ａは標準状態のままである。二次像１０Ｂの対角線長Ｓ２より可変開口２Ａの対角線長Ｓ１が小さいため、二次像１０Ｂの周辺部分は遮蔽され、対角線長Ｓ１の中央部分のみを図７(ｂ)の視野枠像２１Ａ（図７(ａ)と同じ画面サイズ）の内側で拡大して観察することができる。このような横位置拡大画面６５は、長辺が図６(ａ),図７(ａ)の全画面６０の短辺と同じ長さであり、アスペクト比が全画面６０と同じである。
【００２９】
また、焦点板１８上の被写体像の中央部分（縦位置拡大画面６６）を観察する場合には、結像レンズ１９および視野枠２１の可変開口２Ａが図６(ｃ)の状態に設定され、ファインダ視野内の状態は図７(ｃ)のようになる。この場合、結像レンズ１９の状態は図６(ｂ)と同じ、視野枠２１の可変開口２Ａは図６(ｂ)の可変開口２Ａを９０度回転した縦位置状態である。可変開口２Ａの対角線長Ｓ１は標準状態と同じであり、二次像１０Ｂの対角線長Ｓ２より小さい。このため、二次像１０Ｂの周辺部分は遮蔽され、対角線長Ｓ１の中央部分のみを、縦位置状態の視野枠２１に対応する視野枠像２１Ｂの内側で拡大して観察することができる。このような横位置拡大画面６６の観察時には、左情報表示６２,右情報表示６３を移動させて視野枠像２１Ｂの近傍に配置することが好ましい。
【００３０】
また、焦点板１８上の被写体像の全画面６０（図６(ａ)）を拡大して観察する場合には、結像レンズ１９および視野枠２１の可変開口２Ａが図６(ｄ)の状態に設定され、ファインダ視野内の状態は図７(ｄ)のようになる。この場合、結像レンズ１９の状態は図６(ｂ),(ｃ)と同じ、視野枠２１の可変開口２Ａは図６(ｂ)の可変開口２Ａを拡大した横位置状態である。可変開口２Ａと二次像１０Ｂは略同じ対角線長Ｓ２となる。このため、拡大した横位置状態に対応する視野枠像２１Ｃの内側で、焦点板１８上の被写体像の全画面６０を拡大して観察することができる。つまり、結像レンズ１９と視野枠２１の状態を図６(ｂ)の状態に保持して接眼レンズ２３の倍率を上げた場合に等しい観察状態を得ることができる。ただし、図６(ｄ),図７(ｄ)の場合には、ファインダ視野のサイズ（接眼レンズ２３の視野に相当）を拡大せずに全画面６０を拡大するため、視野枠像２１Ｃの外側の情報表示６２,６３を配置できない可能性もある。
【００３１】
また、本実施形態の光学ファインダ装置(１８〜２８)では、視野枠２１の可変開口２Ａを正方形状に設定し、この状態に対応する視野枠像２１Ｄ（図７(ｅ)）の内側で、焦点板１８上の被写体像の中央部分（正方形拡大画面６７）を観察することもできる。このとき、可変開口２Ａのサイズは、例えば図６(ｃ)の縦位置状態から、縦方向のサイズを狭めつつ、横方向のサイズを広げ、その対角線長が標準状態の対角線長Ｓ１と同一になるように調整することが好ましい。また、結像レンズ１９は、図６(ａ),(ｃ)の各状態の中間に設定することが好ましい。
【００３２】
このように、可変開口２Ａのアスペクト比を標準状態とは異なるアスペクト比に変更する際には、可変開口２Ａの対角線長を標準状態と同じ対角線長Ｓ１に保つことで、ファインダ視野内に光学像と情報表示とを無理なく配置することができる。標準状態と同じ対角線長Ｓ１を有する他のアスペクト比の状態としては、図７(ｅ)の例に限らず、図７(ｆ)の状態も可能である。
【００３３】
図７(ｆ)は、視野枠２１の可変開口２Ａをシネマスコープ・パノラマサイズなどの横長形状に設定し、この状態に対応する視野枠像２１Ｅの内側で、焦点板１８上の被写体像の中央部分（横長拡大画面６８）を観察する例である。この場合にも、可変開口２Ａの対角線長を標準状態と同じ対角線長Ｓ１にすることが好ましい。この状態を得るには、例えば図６(ａ)の状態から、可変開口２Ａの縦方向のサイズを狭めつつ、横方向のサイズを広げればよい。また、可変開口２Ａの長辺に全画面６０の長辺が重なるように結像レンズ１９の倍率を拡大することが好ましい。さらに、左右の情報表示６２,６３を縮小することが好ましい。このような横長拡大画面６８を観察する場合でも、ファインダ視野内に光学像と情報表示とを無理なく配置することができる。全体をさらに拡大したい場合は、図６(ｄ)の拡大観察状態から、可変開口２Ａの縦方向のサイズのみを狭めればよい。このときは、画面左右の情報表示はできない可能性がある。
【００３４】
上記のように、本実施形態の光学ファインダ装置(１８〜２８)では、焦点板１８と接眼レンズ２３との間に結像レンズ１９を配置し、この結像レンズ１９と接眼レンズ２３との間に視野枠２１を配置するため、視野枠２１の配置の自由度が向上し、視野枠２１のマスク４１,４２,４５,４６の移動スペースを十分に確保しつつ、装置全体の大型化も回避することができる。もちろん、視野枠２１のマスク４１,４２,４５,４６とシャッター１３との干渉も回避することができる。したがって、装置全体の大型化を回避しつつ、焦点板１８上の被写体像の観察範囲を切り換える際のバリエーションを増やすことができる。
【００３５】
さらに、本実施形態の光学ファインダ装置(１８〜２８)による被写体像の観察の後で、撮像素子１４を用いて撮影動作を行う際には、結像レンズ１９の設定倍率と視野枠２１の可変開口２Ａの状態に応じて、撮像素子１４の読み出し制御を行うことが好ましい。撮像素子１４の撮像エリア４Ａ（図２）のうち、被写体像の観察範囲に対応する部分（撮像エリア４Ａの全域または部分エリア３１〜３３の何れか）のデータを抽出することが考えられる。
【００３６】
例えば、被写体像の全画面６０を観察範囲とする場合（図７(ａ),(ｄ)）には、撮像素子１４の信号の読み出しエリアを撮像エリア４Ａの全域とする。また、被写体像の中央部分（横位置拡大画面６５）を観察範囲をする場合（図７(ｂ)）には、撮像素子１４の信号の読み出しエリアを部分エリア３１とする。さらに、被写体像の中央部分（縦位置拡大画面６６）を観察範囲とする場合（図７(ｃ)）、撮像素子１４の読み出しエリアは部分エリア３２となる。また、被写体像の横長拡大画面６８（図７(ｆ)）の場合は、撮像素子１４の読み出しエリアは部分エリア３３となる。
【００３７】
また、本実施形態の光学ファインダ装置(１８〜２８)では、視野枠２１の可変開口２Ａを完全に遮断し、二次像１０Ｂの全体を遮蔽することもできる。例えば、図５の機構では、縦方向用のマスク４１,４２をアクチュエータ４４によって図８の矢印の方向に移動させることで、二次像１０Ｂの全体を遮蔽できる。横方向用のマスク４５,４６などを用いて同様の遮蔽を行ってもよい。二次像１０Ｂの全体遮蔽を確実に行うためには、マスク４１,４２（またはマスク４５,４６）による遮蔽面積を二次像１０Ｂの全体よりも大きくすることが好ましい。
【００３８】
このように、二次像１０Ｂの全体を遮蔽することで、結像レンズ１９と接眼レンズ２３との間の光路を遮断することができ、ファインダ視野内では表示素子２４による情報表示のみを観察することができる。したがって、表示素子２４によって表示する情報に応じて視野枠２１による遮蔽動作を行い、二次像１０Ｂの全体を遮蔽することで背景をカットし、表示素子２４による情報表示の観察を良好に行うことができる。
【００３９】
その他、視野枠２１による遮蔽動作は、撮影者が接眼レンズ２３から眼を離すとき（例えば被写体をセルフタイマー撮影する際など）に行うことが好ましい。視野枠２１で光路を遮断すれば、接眼レンズ２３の側から入る不要な光（逆入光）が、視野枠２１から焦点板１８側へ入射する事態を回避できる。このため、光学ファインダ装置(１８〜２８)内に設置された不図示の測光系への迷光入射などの悪影響を防止できる。被写体のセルフタイマー撮影は電子カメラ１０の操作部１７からの情報に応じてカメラ制御回路１６が判断し、視野枠２１を制御して二次像１０Ｂの全体を遮蔽させればよい。
【００４０】
また、本実施形態の光学ファインダ装置(１８〜２８)では、結像レンズ１９が縮小倍率を有するため、二次像１０Ｂの全体を遮蔽するために必要なマスク４１,４２（またはマスク４５,４６）のサイズを小さくすることができ、装置全体の小型化が可能である。例えば、結像レンズ１９の倍率を１/２倍とし、焦点板１８上の被写体像の全画面６０のサイズをＬとすれば、二次像１０Ｂのサイズは(１/２)×Ｌとなり、全画面を遮蔽可能な視野枠２１を配置しても、視野枠２１の全体の大きさはＬで済む。なお、全画面を遮蔽する必要がなければ、さらなる小型化が可能である。
【００４１】
さらに、本実施形態の光学ファインダ装置(１８〜２８)では、結像レンズ１９が変倍可能なため、視野枠２１の可変開口２Ａのサイズやアスペクト比を変更すると同時に、結像レンズ１９の変倍動作を行うことで、焦点板１８上の必要な領域のみを拡大観察することが可能となる。
（変形例）
なお、上記した実施形態では、視野枠２１を結像レンズ１９と光路合成素子２２との間に配置した（図１,図３）が、本発明はこれに限定されない。視野枠２１の配置としては、その他、図９に示す通り、光路合成素子２２と接眼レンズ２３との間でも構わない。
【００４２】
また、図９のように視野枠２１を接眼レンズ２３の直前に配置する場合には、接眼レンズ２３を着脱可能とし、接眼レンズ２３が取り外されたときに視野枠２１による遮蔽動作を行って、二次像１０Ｂの全体を遮蔽することが好ましい。接眼レンズ２３の着脱状態は電子カメラ１０の操作部１７からの情報に応じてカメラ制御回路１６が判断し、視野枠２１を制御して二次像１０Ｂの全体を遮蔽させればよい。
【００４３】
さらに、視野枠２１による遮蔽動作は、その他、電子カメラ１０に対してリモコン入力が成されたときなど、接眼レンズ２３から撮影者の眼が離れたと考えられるときに行ってもよいし、手動操作に応じて行ってもよい。
また、上記した実施形態では、撮像素子１４がＸＹアドレス型の撮像素子（例えばＣＭＯＳ撮像素子など）である例を説明したが、本発明はこれに限定されない。撮像素子１４がＣＣＤ撮像素子の場合にも本発明を適用できる。ＣＣＤ撮像素子の場合には、全画素の信号を常に読み出し、画像処理回路１５における処理の際に、被写体像の観察範囲に対応する部分のデータを抽出し、サイズやアスペクト比の異なる撮影画像を生成すればよい。
【００４４】
さらに、本発明は、結像レンズ１９が拡大倍率を有する場合や、結像レンズ１９の倍率が１倍の場合にも適用できる。また、結像レンズ１９の倍率が固定の場合にも、本発明を適用できる。さらに、撮像素子１４の代わりに銀塩フィルムを配置する一眼レフカメラにも本発明を適用できる。
【図面の簡単な説明】
【００４５】
【図１】電子カメラ１０の構成を示す図である。
【図２】撮像素子１４の読み出しエリアを説明する図である。
【図３】本実施形態の光学ファインダ装置(１８〜２８)の構成を示す斜視図である。
【図４】結像レンズ１９による変倍動作を説明する図である。
【図５】視野枠２１の構成例を示す斜視図である。
【図６】結像レンズ１９の変倍と視野枠２１の変更との関係を説明する図である。
【図７】ファインダ視野内の光学像と情報表示のバリエーションを示す図である。
【図８】視野枠２１による遮蔽動作を説明する図である。
【図９】視野枠２１の配置の変形例を示す斜視図である。
【符号の説明】
【００４６】
１０電子カメラ ; １８焦点板 ; １９結像レンズ ; ２１視野枠 ; ２Ａ可変開口 ;
２３接眼レンズ ; ２４表示素子 ; １８〜２８光学ファインダ装置 ; １０Ｂ二次像 ;
１４撮像素子 ; １５画像処理回路 ; １６カメラ制御回路
【図１】
2007233295.tif 000003
【図２】
2007233295.tif 000004
【図３】
2007233295.tif 000005
【図４】
2007233295.tif 000006
【図５】
2007233295.tif 000007
【図６】
2007233295.tif 000008
【図７】
2007233295.tif 000009
【図８】
2007233295.tif 000010
【図９】
2007233295.tif 000011